(57)【要約】【課題】ボーリングロッドの継ぎ足しや回収を容易におこなえるようにする。【解決手段】接続するボーリングロッド２をロッドチェンジャーのホルダー１０に挿入しておく。ホルダー１０は、自重によって、掘削装置のマスト３から離れる方向に傾斜するのでホルダー１０内のボーリングロッド２がマスト３や駆動装置４に干渉しない。駆動装置４をマストに沿って上昇させて駆動軸４１を傾斜させ、ホルダー１０をマスト３側に傾斜させて駆動軸４１と軸線を一致させる。駆動軸４１をボーリングロッド２内に挿入し、ホルダー１０の底板１３を上昇させてボーリングロッド２を持ち上げ、ボーリングロッド２と駆動軸４１を連結する。ホルダー１０からボーリングロッド２が抜き出されると、ホルダー１０は自重で自動的にマスト３から離れる方向に傾斜し、次のボーリングロッド２の挿入を待つ。【選択図】図１
2005048475.tif 000002
【特許請求の範囲】
【請求項１】
掘削装置のボーリングロッドホルダーに、ボーリングロッドを保持するためのホルダーが傾倒可能に取り付けてあるロッドチェンジャー。
【請求項２】
請求項１において、ホルダーの底部に上下動可能な底板が設けてあるロッドチェンジャー。
【請求項３】
請求項１または２のいずれかにおいてホルダー側面に取付板が設けてあり、ピンで傾倒可能にボーリングロッドホルダーに取り付けてあり、ホルダーが自重で自動的に傾斜状態となるロッドチェンジャー。
【請求項４】
請求項１〜３のいずれかにおいて、底板を持ち上げるレバーがホルダー底部に設けてあるロッドチェンジャー。
【請求項５】
請求項１〜３のいずれかにおいて、底板を持ち上げるバネが底板に設けてあるロッドチェンジャー。
【発明の詳細な説明】
【技術分野】
【０００１】
本発明は、掘削作業時におけるボーリングロッドの接続や回収の際、ボーリングロッドの取り扱いを容易にし、作業を迅速におこなえるようにするための装置に関する。
【背景技術】
【０００２】
ボーリングロッドに回転と共に軸方向の振動を加え、掘削効率を向上させた掘削機が使用されているが、ボーリングロッドの継ぎ足し作業や掘削終了後の回収時には駆動装置の取り付け軸とボーリングロッドの軸方向の調整を人力でおこなって駆動装置に取り付けていた。
【特許文献１】特開２００１−１８２００８号公報
【特許文献２】特開平１０−２５２００８号公報
【発明の開示】
【発明が解決しようとする課題】
【０００３】
このタイプのボーリング装置においては、駆動装置（スイベルヘッド）をマストに沿って上昇させてマスト上部に停止させ、交換用のボーリングロッドを立ち上げて保持し、駆動装置をボーリングロッドの上部先端部まで下げ、駆動装置の駆動軸とボーリングロッドを接続していた。
接続の際には、掘削地点から離れた地面を支点にして交換用ボーリングロッドを引き起こすため、垂直に立ち上げると駆動装置の駆動軸とボーリングロッドの軸線が合致しないので接続することができない。
【０００４】
そこで、図７に示すように、作業員がボーリングロッド２を斜に保持し、駆動軸を傾斜状態に固定してボーリングロッドと駆動軸の軸線を合致させた状態でボーリングロッドを人力で持ち上げて駆動軸と連結しなければならなかった。
【０００５】
ボーリングロッドは６０〜９０ｋｇと重量が大きく、この接続作業を人力のみで保持し、駆動装置の接続部に合致するように持ち上げることは非常に困難であり、接続作業に相当の時間を割かれ、掘削装置の掘削効率が向上しているにも拘わらずボーリングロッドの接続作業に時間がかかり、総合的には大きな掘削施工効率の改善が得られていない。
【０００６】
そこで、本発明は、掘削作業中に継ぎ足すべきボーリングロッドを効率よく接続位置に設置できるようにし、また、簡単に接続作業ができるようにして掘削施工効率を向上させるものである。
【課題を解決するための手段】
【０００７】
掘削装置の下部に傾倒可能なホルダーを設置し、ボーリングロッドの保持や持ち上げを人力ですることなく、ボーリングロッドの接続作業をおこなえるようにしたものである。
【発明の効果】
【０００８】
ボーリングロッドを駆動軸に接続する状態にしてホルダーに保持しておき、駆動軸とボーリングロッドの軸線を合致させた状態でホルダーの底板を上昇させて接続をおこなうので、苦痛を伴う作業を容易におこなうことができるようになった。また、掘削作業中に平行して次に接続するボーリングロッドを接続状態にセットすることができるので、従来に比して接続作業を効率的におこなえるので、掘削効率が向上した。
【０００９】
また、ロッドチェンジャーのホルダーが自動的にマストから離れる方向に傾斜するので、ボーリングロッドのホルダーへの挿入作業が容易であると共に、セットしたボーリングロッドがマストや駆動装置の駆動軸に干渉することなく、接続作業の準備をおこなうことができる。
【実施例】
【００１０】
図１に示すように、掘削装置のボーリングロッドホルダー３１に取付板１１が突出して設けてあり、この取付板１１にホルダー１０がピン１２で取り付けられており、ホルダー１０はピン１２を軸に傾倒可能である。
ホルダー１０は、その自重によって常に掘削装置のマスト３から離れる方向に倒れるように取り付けを調整する。
【００１１】
図２に示すように、ホルダー１０は、ボーリングロッド２を収納することができ、ボーリングロッド２を立てた状態で保持することができる直径と長さを有する円筒であり、スリットまたは、切欠が適宜に形成してある。ホルダー１０の底部には、底板１３が上下動可能に設けてあり、底板１３の側部にはレバー１４が左右に軸で支持されており、このレバー１４に作業員が乗り、体重をかけて押し下げることによって、梃子作用で底板１３がホルダー１０の底部から上方に押し上げられ、内部に収納したボーリングロッド２を上昇させる。
レバー１４に代わり、底板１３にバネを設置し、バネの復元力によって底板を上方に押し上げるものでもよい。
【００１２】
本発明のホルダー１０の掘削作業における使用方法を以下に説明する。
図１に示すように、掘削装置で掘削をおこなっている間に平行作業としてマスト３に装備したホイストを利用し、次に継ぎ足すボーリングロッド２を吊り上げ、ロッドチェンジャーのホルダー１０にボーリングロッド２を挿入する。ホルダー１０は自重によって、マスト３から離れる方向に傾斜しているので、ホルダー１０に設置したボーリングロッド２がマスト３や駆動装置４の駆動軸４１に干渉することがない。
【００１３】
図３に示すように、１ロッドの長さ分の掘削が完了したところで、駆動装置４と地中に掘進されたボーリングロッド２１の接続を解放し、駆動装置４をマスト３に沿って上昇させる。
マスト３の上端付近に達したところで、ロッドチェンジャーに装填されたボーリングロッド２をマスト側に押し、ホルダー１０とボーリングロッド２をマスト側に傾斜させる。
駆動装置４の駆動軸４１をボーリングロッド２の傾斜に合わせた角度に回転させ、駆動軸４１とボーリングロッド２が一直線になるように整列させる。
【００１４】
図４に示すように、駆動装置４を降下させ、駆動軸４１をボーリングロッド２内に挿入して停止する。図２に示すように、作業員がロッドチェンジャーのレバー１４に乗り、ホルダー１０の底板１３を２０〜４０ミリメートル上昇させてボーリングロッド２を駆動軸４１の軸線に沿って持ち上げ、ボーリングロッド２の接続部分を駆動軸４１に近接させる。駆動軸４１を回転させてボーリングロッド２の内周に形成したネジによって駆動軸４１と連結する。ボーリングロッド２と底板１３との間の摩擦力によって駆動軸４１とボーリングロッド２がともまわりすることなく接続することができるので、ボーリングロッド２が回転しないように固定する必要がない。
【００１５】
図５に示すように、駆動装置４を上昇させてボーリングロッド２をホルダー１０から離脱させて垂直状態に保持して駆動装置４を降下させ、図６に示すように、駆動軸４１に連結されたボーリングロッド２と既に地中にあるボーリングロッド２１を連結して掘削作業を再開する。
ホルダー１０からボーリングロッド２が引き上げられてホルダー１０が空になると、ホルダー１０は自重で自動的にマスト３から離れる方向に傾斜して初期状態に戻るので、次のボーリングロッドのホルダー１０への装填が容易である。
掘削作業の間を利用して、次のボーリングロッドをロッドチェンジャーに装填して次の接続作業を待つ。以上の工程を繰り返すことによって掘削作業を継続する。
【００１６】
掘削を完了して地中のボーリングロッドを回収する場合は、掘削時と逆の工程であり、ボーリングロッドを引き上げてボーリングロッド同士の連結を解除し、マスト側３に傾斜させてあるホルダー１０にボーリングロッドを装填し、駆動軸とボーリングロッドとの接続を解除し、ホルダー１０を傾斜させて駆動装置の降下の邪魔にならないようにする。
【００１７】
駆動装置４を降下させて、次の地中のボーリングロッドに駆動軸４１を接続して同様の手順で回収を続ける。
その間に、ホイストを利用してホルダー１０内のボーリングロッドを吊り上げ、整理場所に移送し、ホルダー１０を空にして次のボーリングロッドの装填を待つ。
以上の作業を繰り返すことによって、使用したボーリングロッド全てを回収する。
【図面の簡単な説明】
【００１８】
【図１】ロッドチェンジャーの使用説明図。
【図２】ホルダーの詳細説明図。
【図３】ロッドチェンジャーの使用説明図。
【図４】ロッドチェンジャーの使用説明図。
【図５】ロッドチェンジャーの使用説明図。
【図６】ロッドチェンジャーの使用説明図。
【図７】従来のボーリングロッドの接続作業の説明図。
【符号の説明】
【００１９】
１０  ホルダー
１１  取付板
１３  底板
１４  レバー
２    ボーリングロッド
３    マスト
３１  ボーリングロッドホルダー
４    駆動装置
４１  駆動軸
【図１】
2005048475.tif 000003
【図２】
2005048475.tif 000004
【図３】
2005048475.tif 000005
【図４】
2005048475.tif 000006
【図５】
2005048475.tif 000007
【図６】
2005048475.tif 000008
【図７】
2005048475.tif 000009